(57)【特許請求の範囲】
【請求項１】
ピン形状のオス端子が第１ハウジング内に収容されている第１コネクタ部と、
筒状のメス端子が第２ハウジングに収容されている第２コネクタ部と、を備え、
前記両ハウジングが嵌合された状態において、前記オス端子が前記メス端子に挿入され前記両端子が電気的に接続されているコネクタであって、
前記第１コネクタ部は、
前記オス端子の周囲を囲むように設けられており、前記両ハウジングが嵌合され前記オス端子が前記メス端子に挿入されている状態において、前記メス端子の先端部を弾性的に内方に押圧して前記オス端子の外周面に押し付ける押圧部材を有する、
コネクタ。
【請求項２】
前記メス端子は、筒状の基端部と、前記基端部から前記オス端子の挿入側に延出されている複数の接触片を有し前記複数の接触片が筒状に配置されている端子挿入部と、を有し、
前記押圧部材は、前記接触片の先端部を弾性的に内方に押圧して前記オス端子の外周面に押し付けるように構成されている、
請求項１に記載のコネクタ。
【請求項３】
前記オス端子は、絶縁性の樹脂からなる第１インナーハウジングを介して前記第１ハウジングに固定されており、
前記オス端子は、前記第１インナーハウジングから前記両ハウジングの嵌合方向前方に突出する端子部を有し、
前記押圧部材は、前記端子部の前記第１インナーハウジング側の端部に配置されている、
請求項１または２に記載のコネクタ。
【請求項４】
前記端子部の前記第１インナーハウジング側の端部には、径方向外方に突出するフランジ部が形成されており、
前記押圧部材は、前記フランジ部に係止され固定されている、
請求項３に記載のコネクタ。
【請求項５】
前記押圧部材は、
筒状の前側筒状部と、
前記前側筒状部よりも前記嵌合方向において後方に配置されている後側筒状部と、
前記前側筒状部と前記後側筒状部とを連結し、中央部が前記前側筒状部及び前記後側筒状部よりも内方に突出させて形成されている複数の押圧片と、を備える、
請求項１乃至４の何れか１項に記載のコネクタ。
【請求項６】
ピン形状のオス端子と、筒状のメス端子と、有し、
前記オス端子が前記メス端子に挿入され前記両端子が電気的に接続されている端子接続構造であって、
前記オス端子の周囲を囲むように前記オス端子に設けられており、前記オス端子が前記メス端子に挿入された状態において、前記メス端子の先端部を弾性的に内方に押圧して前記オス端子の外周面に押し付ける押圧部材を有する、
端子接続構造。
【請求項７】
前記オス端子は、前記メス端子に挿入される端子部と、前記端子部よりも外径が大きいフランジ部と、を有し、
前記押圧部材は、前記フランジ部に係止され固定されている、
請求項６に記載の端子接続構造。
【請求項８】
前記押圧部材は、
筒状の前側筒状部と、
前記前側筒状部よりも前記嵌合方向において後方に配置されている後側筒状部と、
前記前側筒状部と前記後側筒状部とを連結し、中央部が前記前側筒状部及び前記後側筒状部よりも内方に突出させて形成されている複数の押圧片と、を備える、
請求項６または７に記載の端子接続構造。
【発明の詳細な説明】
【技術分野】
【０００１】
本発明は、コネクタ及び端子接続構造に関する。
【背景技術】
【０００２】
ハイブリッド車や電気自動車におけるモータとインバータとを接続する電路に設けられるコネクタとして、ピン形状のオス端子が第１ハウジング内に収容された第１コネクタ部と、筒状のメス端子が第２ハウジングに収容された第２コネクタ部と、を備え、両ハウジングを嵌合した際に、オス端子がメス端子に挿入され両端子が電気的に接続されるコネクタが知られている（例えば、特許文献１，２参照）。
【０００３】
特許文献１，２では、メス端子が、略円筒状の基部と、基部から延出された接触片とを有し、メス端子の先端部に接触片を内方に弾性的に押圧するばね部材（外ばねリング、コネクタ端子用接触ばね）を設け、オス端子をメス端子に挿入した際に、接触片がオス端子の外周面に弾性接触される端子接続構造が開示されている。
【先行技術文献】
【特許文献】
【０００４】
【特許文献１】特許第４９７１０７５号公報
【特許文献２】特開２０１３−１８７１７０号公報
【発明の概要】
【発明が解決しようとする課題】
【０００５】
しかしながら、特許文献１，２では、メス端子の先端部にばね部材が設けられているため、オス端子をメス端子に挿入する際に、常にオス端子がメス端子側に押圧された状態で両端子の嵌合がなされることになり、端子の表面に摩耗が発生し、端子に施されたメッキが剥がれる等の不具合が生じるおそれがある。
【０００６】
そこで、本発明は、端子の摩耗を抑制可能なコネクタ及び端子接続構造を提供することを目的とする。
【課題を解決するための手段】
【０００７】
本発明は、上記課題を解決することを目的として、ピン形状のオス端子が第１ハウジング内に収容されている第１コネクタ部と、筒状のメス端子が第２ハウジングに収容されている第２コネクタ部と、を備え、前記両ハウジングが嵌合された状態において、前記オス端子が前記メス端子に挿入され前記両端子が電気的に接続されているコネクタであって、前記第１コネクタ部は、前記オス端子の周囲を囲むように設けられており、前記両ハウジングが嵌合され前記オス端子が前記メス端子に挿入されている状態において、前記メス端子の先端部を弾性的に内方に押圧して前記オス端子の外周面に押し付ける押圧部材を有する、コネクタを提供する。
【０００８】
また、本発明は、上記課題を解決することを目的として、ピン形状のオス端子と、筒状のメス端子と、有し、前記オス端子が前記メス端子に挿入され前記両端子が電気的に接続されている端子接続構造であって、前記オス端子の周囲を囲むように前記オス端子に設けられており、前記オス端子が前記メス端子に挿入された状態において、前記メス端子の先端部を弾性的に内方に押圧して前記オス端子の外周面に押し付ける押圧部材を有する、端子接続構造を提供する。
【発明の効果】
【０００９】
本発明によれば、端子の摩耗を抑制可能なコネクタ及び端子接続構造を提供できる。
【図面の簡単な説明】
【００１０】
【図１】本発明の一実施の形態に係るコネクタの嵌合前の図であり、（ａ）は斜視図、（ｂ）は断面図である。
【図２】図１のコネクタの嵌合後の図であり、（ａ）は斜視図、（ｂ）は断面図である。
【図３】オス端子の斜視図である。
【図４】（ａ）は押圧部材の斜視図、（ｂ）は押圧部材をオス端子４に取り付けた際の斜視図である。
【図５】第１コネクタ部の斜視図である。
【図６】メス端子とケーブルの斜視図である。
【図７】第２コネクタ部の第２ハウジングを省略した斜視図である。
【図８】両コネクタ部を嵌合した際のオス端子、メス端子、および押圧部材の位置関係を説明する説明図であり、（ａ）は斜視図、（ｂ）は側面図である。
【発明を実施するための形態】
【００１１】
［実施の形態］
以下、本発明の実施の形態を添付図面にしたがって説明する。
【００１２】
図１は、本実施の形態に係るコネクタの嵌合前の図であり、（ａ）は斜視図、（ｂ）は断面図である。図２は、本実施の形態に係るコネクタの嵌合後の図であり、（ａ）は斜視図、（ｂ）は断面図である。
【００１３】
図１および図２に示すように、コネクタ１は、ピン形状のオス端子４が第１ハウジング６内に収容されている第１コネクタ部２と、筒状のメス端子５が第２ハウジング７に収容されている第２コネクタ部３と、を備えている。
【００１４】
コネクタ１では、両ハウジング６，７を嵌合すると、オス端子４がメス端子５に挿入され両端子４，５が電気的に接続されるように構成されている。
【００１５】
コネクタ１は、例えば、ハイブリッド車や電気自動車において、モータとインバータとを接続する電路に設けられるものである。本実施の形態では、第１コネクタ部２がインバータに取り付けられると共に、第２コネクタ部３がモータ側から延出されたケーブル８の端部に取り付けられており、両コネクタ部２，３を嵌合させることで、インバータとモータとがコネクタ１を介して電気的に接続されるように構成されている。なお、これに限らず、例えば、第２コネクタ部３が機器側（インバータ側）、第１コネクタ部２がケーブル８側に設けられていてもよいし、第１コネクタ部２をケーブルの端部に設けケーブル同士を接続するようにコネクタ１を構成してもよい。
【００１６】
（第１コネクタ部２の構成）
図３はオス端子４の斜視図である。図３に示すように、オス端子４は、一端にピン形状（円柱状）の端子部４ａが形成されると共に、他端に板状の機器側接続部４ｂが形成されている。端子部４ａの先端部は、メス端子５への挿入が容易となるように、丸みを帯びた形状に形成されている。オス端子４は、例えば、銅の表面に錫や銀等のめっきを施して構成される。本実施の形態では、モータとインバータ間で伝送される三相交流に対応して３つのオス端子４が備えられている。
【００１７】
オス端子４の機器側接続部４ｂには、図示しないインバータ側の端子との接続の際にボルトを通すためのボルト穴４ｃが形成されている。また、端子部４ａの機器側接続部４ｂ側の端部（後述する第１インナーハウジング９側の端部）には、径方向外方に突出し、端子部４ａよりも外径が大きいフランジ部４ｄが端子部４ａと一体に形成されている。さらに、端子部４ａ（フランジ部４ｄ）と機器側接続部４ｂとを連結する連結部４ｅの両側には、後述する第１インナーハウジング９に干渉してオス端子４の回転を抑制する回転抑制突起４ｆが側方に突出するように設けられている。
【００１８】
図４（ａ）は押圧部材の斜視図、図４（ｂ）は押圧部材をオス端子４に取り付けた際の斜視図である。また、図５は、オス端子と押圧部材とを含む第１コネクタ部２の斜視図である。
【００１９】
図１，２および図４，５に示すように、本実施の形態に係るコネクタ１では、第１コネクタ部２は、両ハウジング６，７が嵌合されオス端子４がメス端子５に挿入されている状態において、メス端子５の先端部を弾性的に内方に押圧してオス端子４の外周面に押し付ける押圧部材１７を有している。押圧部材１７は、オス端子４の周囲を囲むように設けられている。
【００２０】
本実施の形態に係る端子接続構造は、コネクタ１においてオス端子４とメス端子５とを接続する構造であり、オス端子４の周囲を囲むようにオス端子４に設けられた押圧部材１７により、メス端子５の先端部を弾性的に内方に押圧してオス端子４の外周面に押し付ける構造である。
【００２１】
押圧部材１７は、筒状に形成されており、オス端子４を外方から囲むようにして配置されている。押圧部材１７は、嵌合方向前方に配置された略角筒状（角を丸めた角筒状）の前側筒状部１７ａと、嵌合方向後方に配置された略角筒状（角を丸めた角筒状）の後側筒状部１７ｂと、両筒状部１７ａ，１７ｂを連結する４つの押圧片１７ｃと、を有している。押圧片１７ｃは、その中央部が両筒状部１７ａ，１７ｂよりも内方に突出するように形成されており、この押圧片１７ｃが、両端子４，５を嵌合させた際にメス端子５（後述する接触片５１）の先端部を内方に付勢し、メス端子５の先端部を内方に弾性的に押圧するように構成されている。つまり、押圧部材１７は、筒状のばね部材からなる。
【００２２】
押圧部材１７は、例えばステンレスからなる。押圧部材１７は、１枚の金属板を加工して形成されてもよい。この場合、金属板の端部同士を係止させることで筒状の押圧部材１７を形成するとよい。
【００２３】
押圧部材１７の前側筒状部１７ａには、対向位置から内方に突出する１対の係止突起１７ｄが一体に形成されている。押圧部材１７は、係止突起１７ｄがオス端子４のフランジ部４ｄにおける連結部４ｅ側の端部に形成された係止溝４ｇに係止されることで、オス端子４に係止され固定されている。本実施の形態では、押圧部材１７は、フランジ部４ｄを含む端子部４ａの基端部の外周を囲むように設けられている。
【００２４】
図１，２および図５に示すように、３つのオス端子４は、一直線状かつ等間隔に整列配置された状態で第１インナーハウジング９に支持され、第１インナーハウジング９を介して第１ハウジング６に固定されている。第１インナーハウジング９は、ナイロンやＰＰＳ（ポリフェニレンサルファイド）等の絶縁性の樹脂からなり、第１ハウジング６は、アルミニウム等の金属からなる。
【００２５】
第１ハウジング６は、中空筒状の本体部６ａと、本体部６ａの嵌合方向後方の端部から側方に延出されたフランジ部６ｂと、を一体に構成してなる。第１コネクタ部２は、フランジ部６ｂをインバータ筐体に当接させた状態でインバータ筐体にボルト等で固定することで、インバータに取り付けられる。
【００２６】
本体部６ａのフランジ部６ｂと反対側（嵌合方向前方）の端部には、第１ハウジング６を第２ハウジング７内に収容し両ハウジング６，７を嵌合させた際に、第１ハウジング６（本体部６ａ）の外周面と第２ハウジング７の内周面との間を水密にシールするハウジング間シール部材６ｃが設けられている。
【００２７】
また、本体部６ａには、その両側面（オス端子４の配列方向における両側面）から側方に突出し、両ハウジング６，７を嵌合する際のガイドの役割を果たすガイド突起６ｄが一体に形成されている。
【００２８】
第１インナーハウジング９は、第１ハウジング６のフランジ部６ｂ側の開口を塞ぐように設けられる蓋部９ａと、蓋部９ａから第１ハウジング６の内周面に沿うように第１ハウジング６内に延出された筒状の本体部９ｂと、蓋部９ａから本体部９ｂと反対側（嵌合方向後方）に突出する機器側突出部９ｃと、を一体に構成してなる。本体部９ｂの外周面には、本体部９ｂの外周面と第１ハウジング６の内周面との間を水密にシールするシール部材９ｄが設けられている。
【００２９】
各オス端子４は、その端子部４ａを第１ハウジング６内に収容し、かつ、機器側接続部４ｂを第１ハウジング６から嵌合方向後方に突出させた状態で第１インナーハウジング９に支持されている。各オス端子４の端子部４ａ（フランジ部４ｄを含む）は、第１インナーハウジング９の蓋部９ａから両ハウジング６，７の嵌合方向前方（第１ハウジング６内）に突出するように配置されている。
【００３０】
各オス端子４の機器側接続部４ｂの先端部の表面は、機器側突出部９ｃから露出されており、機器側接続部４ｂの先端部の背面が機器側突出部９ｃに支持されるように構成されている。第１インナーハウジング９の機器側突出部９ｃには、オス端子４のボルト穴４ｃと連通し機器側突出部９ｃを貫通するボルト穴９ｅが形成されている。
【００３１】
各オス端子４と第１インナーハウジング９とは、インサート成形により一体に形成されている。各オス端子４は、その連結部４ｅおよび回転抑制突起４ｆが蓋部９ａに覆われた構造となっており、回転抑制突起４ｆが周囲の第１インナーハウジング９に干渉することにより、オス端子４の回転が抑制されている。
【００３２】
各オス端子４には、押圧部材１７がそれぞれ取り付けられている。押圧部材１７は、第１インナーハウジング９から嵌合方向前方（第１ハウジング６内）に突出するオス端子４（端子部４ａ、フランジ部４ｄ）の第１インナーハウジング９側の端部に配置されている。
【００３３】
（第２コネクタ部３の構成）
図６は、メス端子５とケーブル８の斜視図である。
【００３４】
図６に示すように、メス端子５は、ケーブル８の端部に設けられている。本実施の形態では、モータとインバータ間で伝送される三相交流に対応して３つのメス端子５および３本のケーブル８が備えられる。各ケーブル８は、銅等の電気良導体からなる素線を撚り合わせた撚線からなる導体８ａの外周を絶縁体からなるシース８ｂで被覆して構成されている。
【００３５】
メス端子５は、ケーブル８の先端にてシース８ｂから露出された導体８ａをかしめ固定するかしめ部５ａと、かしめ部５ａから前方に延出され下方に凸となるように湾曲して形成された板状の連結部５ｂと、連結部５ｂを介してかしめ部５ａと連結された筒状（ここでは角を丸めた角筒状）の基端部５ｃと、基端部５ｃから前方（オス端子４の挿入側）に延出された複数の接触片５１を有する端子挿入部５ｄと、を一体に構成してなる。メス端子５は、例えば、銅の表面に錫や銀等のめっきを施して構成される。
【００３６】
本実施の形態では、接触片５１を４つ有している場合を説明するが、接触片５１の数はこれに限定されない。４つの接触片５１は、嵌合方向前方から見て上下左右に互いに離間して配置され、全体として略角筒状となるように配置されている。
【００３７】
本実施の形態では、各接触片５１は、基端部５ｃから前方に延出された板状の第１平坦部５１ａと、第１平坦部５１ａの先端部から前方に延出されると共に斜め外方に延出されたテーパ部５１ｂと、テーパ部５１ｂの先端部から前方に延出され第１平坦部５１ａと平行な第２平坦部５１ｃと、を有している。第１平坦部５１ａとテーパ部５１ｂの連結部分、および、テーパ部５１ｂと第２平坦部５１ｃとの連結部分は、丸みを帯びた形状とされる。
【００３８】
このように構成することで、端子挿入部５ｄの先端部（オス端子４の挿入側の端部）には、第２平坦部５１ｃからなる大径部５２が形成され、大径部５２よりも基端部５ｃ側には、大径部５２よりも径が小さい第１平坦部５１ａからなる小径部５３が形成される。
【００３９】
コネクタ１では、両ハウジング６，７を嵌合させた際には、オス端子４の端子部４ａが、メス端子５の端子挿入部５ｄにおける大径部５２に挿入される。大径部５２における上下または左右に対向する接触片５１（第２平坦部５１ｃ）の間隔は、オス端子４の端子部４ａ（フランジ部４ｄよりも先端側の部分）の外径よりも若干大きく構成されている。
【００４０】
また、詳細は後述するが、コネクタ１では、両ハウジング６，７を嵌合させた際には、メス端子５の先端部（接触片５１の先端部）がオス端子４と押圧部材１７との間に挿入され、押圧部材１７の押圧片１７ｃにより接触片５１の先端部が弾性的に内方に押圧されオス端子４（端子部４ａ）の外周面に押し付けられることで、両端子４，５が電気的に接続される。そのため、押圧部材１７の上下または左右に対向する押圧片１７ｃの間隔は、大径部５２において上下又は左右に対向する接触片５１（第２平坦部５１ｃ）の外面同士の間隔よりも小さくなるように調整されている。
【００４１】
メス端子５の連結部５ｂには、連結部５ｂの両側部から上方に突出する突起５４が形成されている。
【００４２】
図１，２に戻り、第２ハウジング７は、中空筒状に形成されており、その嵌合方向前方の開口から第１ハウジング６が挿入されるように構成されている。第２ハウジング７は、アルミニウム等の金属からなる。
【００４３】
第２ハウジング７の両側には、第１ハウジング６を嵌合する際にガイド突起６ｄをガイドするガイド溝７ａが形成されている。ガイド溝７ａは、両ハウジング６，７の嵌合方向に沿って形成されており、嵌合方向前方に開口するように形成されている。
【００４４】
また、第２ハウジング７の両側には、側方に突出するレバー支持突起７ｂが形成されており、このレバー支持突起７ｂを回動軸として第２ハウジング７に対して回動自在にレバー部材１１が設けられている。
【００４５】
レバー部材１１は、第２ハウジング７を両側から挟み込むように設けられる一対の側板１１ａと、側板１１ａ同士を連結する操作部１１ｂとを一体に構成してなる。レバー部材１１は、ナイロンやＰＰＳ等の絶縁性の樹脂からなる。
【００４６】
レバー部材１１の側板１１ａには、第１ハウジング６のガイド突起６ｄをガイド溝７ａとの間で保持し、レバー部材１１の回動に伴ってガイド突起６ｄをガイド溝７ａの奥側（第２ハウジング７の後方側）に引き寄せることで、両ハウジング６，７を互いに引き寄せて両ハウジング６，７を嵌合させるための円弧状のレバー側ガイド溝１２が形成されている。
【００４７】
レバー側ガイド溝１２は、レバー部材１１を開放位置（図１の位置）とした際にガイド溝７ａと連通され、両ハウジング６，７の嵌合時にガイド溝７ａを介してガイド突起６ｄが挿入される挿入部１２ａと、一端が挿入部１２ａと連通され、一端から他端かけて徐々に回動軸との距離が小さくなるように円弧状に形成された円弧部１２ｂと、を有している。
【００４８】
両ハウジング６，７の嵌合時には、ガイド突起６ｄがガイド溝７ａを介してレバー側ガイド溝１２に挿入され、ガイド突起６ｄが挿入部１２ａを介して円弧部１２ｂの一端に挿入される。この状態でレバー部材１１を開放位置から回動させると、ガイド突起６ｄがガイド溝７ａと円弧部１２ｂとに挟まれ保持された状態となる。さらに、レバー部材１１を嵌合位置（図２の位置）まで回動させると、当該回動に伴って円弧部１２ｂが回動され、ガイド突起６ｄが円弧部１２ｂの一端から他端に円弧部１２ｂに沿って移動し、ガイド突起６ｄがガイド溝７ａの奥側へと引き寄せられる。これにより、両ハウジング６，７が互いに引き寄せられ、両ハウジング６，７が嵌合される。
【００４９】
第２コネクタ部３では、第２ハウジング７の嵌合方向後方の開口から３本のケーブル８が延出されている。ケーブル８と第２ハウジング７との間には、ケーブル８と第２ハウジング７との間を水密にシールするワイヤシール１４が設けられている。第２ハウジング７には、第２ハウジング７の内周面から内方に突出し、ワイヤシール１４の前方（メス端子５側）への移動を規制する規制壁７ｄが一体に設けられている。また、図示していないが、第２ハウジング７の後方（ケーブル８の延出側）の開口を塞ぐように蓋部材が設けられ、この蓋部材により、ワイヤシール１４の後方への移動が規制されている。
【００５０】
図１，２および図７に示すように、３本のケーブル８は、等間隔で整列した状態で第２ハウジング７に支持されており、これにより、３つのメス端子５は、第２ハウジング７内に一直線状かつ等間隔に整列した状態で配置されている。各メス端子５は、両ハウジング６，７を嵌合させた際に対応するオス端子４が挿入されるように、各オス端子４に対応した位置に配置される。
【００５１】
第２コネクタ部３は、各メス端子５を囲むように設けられた３連筒状の第２インナーハウジング１６を備えている。第２インナーハウジング１６は、ナイロンやＰＰＳ等の絶縁性の樹脂からなる。
【００５２】
第２インナーハウジング１６は、メス端子５を上下から挟み込む上壁１６ａおよび下壁１６ｂと、メス端子５の配列方向の両側から挟み込むように配置される一対の側壁１６ｃと、を有し、嵌合方向前方および後方が開口した略直方体形状に形成されている。また、第２インナーハウジング１６は、その内部空間を仕切る側壁１６ｃと平行な２つの仕切り壁１６ｄを有し、両仕切り壁１６ｄで仕切られた３つの空間に、それぞれメス端子５を収容して構成されている。仕切り壁１６ｄの上端部は上壁１６ａに、下端部は下壁１６ｂにそれぞれ連結されている。
【００５３】
ここでは、各メス端子５の端子挿入部５ｄと基端部５ｃとを収容するように第２インナーハウジング１６を形成しているが、第２インナーハウジング１６をさらにケーブル８側に延長し、メス端子５の全体を収容できるように第２インナーハウジング１６を構成し、隣り合うメス端子５間の縁面距離を確保するようにしてもよい。両ハウジング６，７を嵌合した際には、第２インナーハウジング１６とメス端子５の先端部との間に押圧部材１７が挿入されることになる。
【００５４】
第２インナーハウジング１６の上壁１６ａと下壁１６ｂには、嵌合方向後方に延出されたランス１６ｆが形成されており、このランス１６ｆを、第２ハウジング７の内壁に内方に突出するように形成された内方突起７ｃに係止させることで、第２インナーハウジング１６が第２ハウジング７に係止され固定されている。これにより、各メス端子５は、第２インナーハウジング１６を介して第２ハウジング７に支持されている。
【００５５】
また、図示していないが、コネクタ１では、３本のケーブル８の周囲を覆うようにシールド部材としての編組シールドが設けられている。編組シールドの端部は、第２ハウジング７の外周に帯状の締結部材により固定されている。
【００５６】
（第１コネクタ部２と第２コネクタ部３の嵌合）
両コネクタ部２，３を嵌合させる際には、まず、図１（ａ），（ｂ）に示すように、第２コネクタ部３において、レバー部材１１を開放位置に回動させた状態とする。
【００５７】
その後、第１ハウジング６を第２ハウジング７内に挿入する。このとき、第１ハウジング６のガイド突起６ｄが、第２ハウジング７のガイド溝７ａにガイドされ、レバー部材１１のレバー側ガイド溝１２に収容される。なお、両ハウジング６，７の嵌合を容易とするため、レバー部材１１を回動させない状態においては、押圧部材１７によりメス端子５に押圧力が付与されないことが望ましい。押圧部材１７は、ガイド突起６ｄがレバー側ガイド溝１２の挿入部１２ａに挿入された状態において、押圧片１７ｃがメス端子５を押圧しない位置に取り付けられている。
【００５８】
その後、図２（ａ），（ｂ）に示すように、レバー部材１１を嵌合位置まで回動させると、両ハウジング６，７が互いに引き寄せられ、両ハウジング６，７が嵌合される。
【００５９】
これにより、図８（ａ），（ｂ）に示すように、メス端子５の先端部（接触片５１の先端部）が、押圧部材１７の押圧片１７ｃとオス端子４の端子部４ａとの間に挿入され、メス端子５の先端部（接触片５１の先端部）が、押圧部材１７の押圧片１７ｃにより弾性的に内方に押圧されてオス端子４の外周面に押し付けられる。これにより、押圧部材１７の押圧力により両端子４，５が固定され電気的に接続される。
【００６０】
（実施の形態の作用及び効果）
以上説明したように、本実施の形態に係るコネクタ１では、第１コネクタ部２は、オス端子４の周囲を囲むように設けられており両ハウジング６，７が嵌合されオス端子４がメス端子５に挿入されている状態において、メス端子５の先端部を弾性的に内方に押圧してオス端子４の外周面に押し付ける押圧部材１７を有している。
【００６１】
オス端子４側に押圧部材１７を設けることで、メス端子５の先端部のみに押圧力を作用させることが可能となり、従来のようにメス端子５側に押圧部材１７を設ける場合と比較して、両端子４，５間に押圧力を作用させた状態で両端子４，５を摺動させる距離を短くすることが可能になり、端子４，５に生じる摩耗を抑制することが可能になる。
【００６２】
なお、メス端子５の基端部に押圧部材１７を設けることで、両端子４，５間に押圧力を作用させた状態で両端子４，５を摺動させる距離を短くすることも考えられる。しかし、メス端子５は、複数の接触片５１が嵌合方向前方に延出されている構造となっているため、接触片５１の基端部を内方に押圧しても接触片５１が内方に撓みにくく、両端子４，５間に十分な押圧力を作用させることは困難である。本実施の形態では、押圧部材１７によりメス端子５の先端部を内方に押圧しているため、接触片５１を容易に内方に撓ませることが可能であり、押圧部材１７による押圧力を抑えて両端子４，５の摩耗を抑えつつも、両端子４，５間に十分な押圧力を作用させ両端子４，５を確実に接触させることができる。
【００６３】
つまり、本実施の形態によれば、押圧部材１７による押圧力（ばね力）を小さく抑えつつも、両端子４，５間に付与される押圧力を十分に確保することが可能であり、両端子４，５の摩耗を抑制しつつも、車両の振動による端子４，５の位置ずれや接触抵抗の増加を抑制することが可能である。
【００６４】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００６５】
［１］ピン形状のオス端子（４）が第１ハウジング（６）内に収容されている第１コネクタ部（２）と、筒状のメス端子（５）が第２ハウジング（７）に収容されている第２コネクタ部（３）と、を備え、前記両ハウジング（６，７）が嵌合された状態において、前記オス端子（４）が前記メス端子（４）に挿入され前記両端子（４，５）が電気的に接続されているコネクタ（１）であって、前記第１コネクタ部（２）は、前記オス端子（４）の周囲を囲むように設けられており、前記両ハウジング（６，７）が嵌合され前記オス端子（４）が前記メス端子（５）に挿入されている状態において、前記メス端子（５）の先端部を弾性的に内方に押圧して前記オス端子（４）の外周面に押し付ける押圧部材（１７）を有する、コネクタ（１）。
【００６６】
［２］前記メス端子（５）は、筒状の基端部（５ｃ）と、前記基端部（５ｃ）から前記オス端子（４）の挿入側に延出されている複数の接触片（５１）を有し前記複数の接触片（５１）が筒状に配置されている端子挿入部（５ｄ）と、を有し、前記押圧部材（１７）は、前記接触片（５１）の先端部を弾性的に内方に押圧して前記オス端子（４）の外周面に押し付けるように構成されている、［１］に記載のコネクタ（１）。
【００６７】
［３］前記オス端子（４）は、絶縁性の樹脂からなる第１インナーハウジング（９）を介して前記第１ハウジング（６）に固定されており、前記オス端子（４）は、前記第１インナーハウジング（９）から前記両ハウジング（６，７）の嵌合方向前方に突出する端子部（４ａ）を有し、前記押圧部材（１７）は、前記端子部（４ａ）の前記第１インナーハウジング（９）側の端部に配置されている、［１］または［２］に記載のコネクタ（１）。
【００６８】
［４］前記端子部（４ａ）の前記第１インナーハウジング（９）側の端部には、径方向外方に突出するフランジ部（４ｄ）が形成されており、前記押圧部材（１７）は、前記フランジ部（４ｄ）に係止され固定されている、［３］に記載のコネクタ（１）。
【００６９】
［５］前記押圧部材（１７）は、筒状の前側筒状部（１７ａ）と、前記前側筒状部（１７ａ）よりも前記嵌合方向において後方に配置されている後側筒状部（１７ｂ）と、前記前側筒状部（１７ａ）と前記後側筒状部（１７ｂ）とを連結し、中央部が前記前側筒状部（１７ａ）及び前記後側筒状部（１７ｂ）よりも内方に突出させて形成されている複数の押圧片（１７ｃ）と、を備える、［１］乃至［４］の何れか１項に記載のコネクタ（１）。
【００７０】
［６］ピン形状のオス端子（４）と、筒状のメス端子（５）と、有し、前記オス端子（４）が前記メス端子（５）に挿入され前記両端子（４，５）が電気的に接続されている端子接続構造であって、前記オス端子（４）の周囲を囲むように前記オス端子（４）に設けられており、前記オス端子（４）が前記メス端子（５）に挿入された状態において、前記メス端子（５）の先端部を弾性的に内方に押圧して前記オス端子（４）の外周面に押し付ける押圧部材（１７）を有する、端子接続構造。
【００７１】
［７］前記オス端子（４）は、前記メス端子（５）に挿入される端子部（４ａ）と、前記端子部（４ａ）よりも外径が大きいフランジ部（４ｄ）と、を有し、前記押圧部材（１７）は、前記フランジ部（４ｄ）に係止され固定されている、［６］に記載の端子接続構造。
【００７２】
［８］前記押圧部材（１７）は、筒状の前側筒状部（１７ａ）と、前記前側筒状部（１７ａ）よりも前記嵌合方向において後方に配置されている後側筒状部（１７ｂ）と、前記前側筒状部（１７ａ）と前記後側筒状部（１７ｂ）とを連結し、中央部が前記前側筒状部（１７ａ）及び前記後側筒状部（１７ｂ）よりも内方に突出させて形成されている複数の押圧片（１７ｃ）と、を備える、［６］または［７］に記載の端子接続構造。
【００７３】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００７４】
本発明は、その趣旨を逸脱しない範囲で適宜変形して実施することが可能である。
【００７５】
例えば、上記実施の形態では、押圧部材１７をオス端子４（フランジ部４ｄ）に係止し固定するように構成したが、これに限らず、例えば、押圧部材１７を第１インナーハウジング９に固定するように構成してもよい。
【００７６】
また、上記実施の形態では、押圧部材１７を、前側筒状部１７ａと後側筒状部１７ｂと４つの押圧片１７ｃとで構成したが、押圧部材１７の形状等はこれに限定されるものではない。例えば、押圧片１７ｃの数は、メス端子５の接触片５１の数に応じて設定すればよい。また、後側筒状部１７ｂを省略し、前側筒状部１７ａから嵌合方向前方に複数の押圧片１７ｃが延出された片持ちの構造としてもよい。
【符号の説明】
【００７７】
１…コネクタ
２…第１コネクタ部
３…第２コネクタ部
４…オス端子
４ａ…端子部
４ｄ…フランジ部
５…メス端子
５ｃ…基端部
５ｄ…端子挿入部
５１…接触片
５２…大径部
５３…小径部
６…第１ハウジング
７…第２ハウジング
９…第１インナーハウジング
１６…第２インナーハウジング
１７…押圧部材
【図１】
0006565654.tif 000002
【図２】
0006565654.tif 000003
【図３】
0006565654.tif 000004
【図４】
0006565654.tif 000005
【図５】
0006565654.tif 000006
【図６】
0006565654.tif 000007
【図７】
0006565654.tif 000008
【図８】
0006565654.tif 000009